(57)【要約】【課題】  本発明は、通常の水を酸化還元電位の低い水に改質する水改質触媒、水改質装置及び水改質方法並びに機能性水を提供する。【解決手段】  本発明に係る通常の水を酸化還元電位の低い水に改質する水改質装置１０は、ミネラルを含む流水を供給するための供給口としての開口部１０２と、開口部１０２から供給された流水との流水摩擦により静電気を生成する静電気生成部１１１と、静電気生成部１１１を通過した流水に接触する、マグネシウムとシリコンと酸化鉄とゲルマニウムとから成る水改質触媒を内蔵する水改質触媒内蔵部１１２、１１３、１１４、１１５と、水改質触媒内蔵部１１２、１１３、１１４、１１５を通過した流水が排水される排水口としての開口部１０３とを備える容器１０１から成る。【選択図】      図２
2006334505.tif 000002
【特許請求の範囲】
【請求項１】
マグネシウムとシリコンと酸化鉄とゲルマニウムとから成り、ミネラルを含む帯電した水に接触することによって通常の水より酸化還元電位が低下した機能性水を生成する水改質触媒。
【請求項２】
ミネラルを含む流水を供給するための供給口と、
前記給水口から供給された流水との流水摩擦により静電気を生成する静電気生成部と、
前記静電気生成部を通過した流水に接触する、マグネシウムとシリコンと酸化鉄とゲルマニウムとから成る水改質触媒を内蔵する水改質触媒内蔵部と、
前記水改質触媒内蔵部を通過した流水が排水される排水口とを備える容器から成り、通常の水より酸化還元電位が低下した機能性水を生成する水改質装置。
【請求項３】
ミネラルを含む流水を生成して前記給水口に供給する流水生成部、及び、ミネラルを含む流水を前記給水口に供給する流水供給部のうちの何れか一方をさらに備えること
を特徴とする請求項２に記載の水改質装置。
【請求項４】
前記容器は、絶縁性材料で形成されること
を特徴とする請求項２又は請求項３に記載の水改質装置。
【請求項５】
マグネシウムとシリコンと酸化鉄とゲルマニウムとから成る水改質触媒を、ミネラルを含む帯電した水に接触させ、通常の水より酸化還元電位が低下した機能性水を生成する水改質方法。
【請求項６】
マグネシウムとシリコンと酸化鉄とゲルマニウムとから成る水改質触媒をミネラルを含む帯電した水に接触させて生成される通常の水より酸化還元電位が低下した機能性水。
【請求項７】
前記機能性水は、界面活性水、洗浄水、風呂水、溶媒及び消火水の何れか１つであることを特徴とする請求項６に記載の機能性水。
【発明の詳細な説明】
【技術分野】
【０００１】
本発明は、通常の水を酸化還元電位の低い水に改質する水改質触媒、水改質装置及び水改質方法に関する。そして、このような水改質触媒、水改質装置及び水改質方法によって得られた、通常の水より酸化還元電位が低下した機能性水に関する。
【背景技術】
【０００２】
通常の水は、塩化銀電極測定で酸化還元電位が＋２００ｍＶ以上であるが、酸化還元電位が０ｍＶ以下の還元水と呼ばれる水がある。このような酸化還元電位が通常より低い水は、通常の水と異なり、様々な特性を示し、特に、生体の健康を維持向上する作用があるとして、近年、盛んに研究されている。
【０００３】
この酸化還元電位の低い水を生成する技術としては、例えば、特許文献１及び特許文献２がある。この特許文献１に開示の技術は、改質する水が導入される電解槽内に第１乃至第３電極を配置し、第１、第２電極間に交流を印加し、第３電極を接地し、第１、第２電極から第３電極に水の整流作用により直流電流を流し、水を電気分解してこの水の酸化還元電位を下げる水改質装置である。また、特許文献２に開示の技術は、酸化体（Ｈ＋、水素イオン）と還元体（ＯＨ−、水酸化物イオン）の混合状態にある原料水を、シリカ系石英斑岩に金属を担持させた還元触媒と接触させながら、水素をガス圧０．１〜０．９５ＭＰａで、１０秒〜１０分間吹き込んで酸化還元電位が−４００ｍＶ〜−６００ｍＶの水を生成する方法である。このシリカ系石英斑岩に担持させる金属は、例えば、アルカリ金属、マグネシウム、カルシウム、アルミニウム、亜鉛等の電気的陽性の大きい金属、或いは、鉄（ＩＩ）、スズ（ＩＩ）、チタン（ＩＩＩ）、クロム（ＩＩ）等の低原子価状態にある金属の塩類である。
【特許文献１】特開平０５−２２８４７５号公報
【特許文献２】特開２００５−０００９０１号公報
【発明の開示】
【発明が解決しようとする課題】
【０００４】
ところで、発明者は、通常の水より酸化還元電位が低下した水（機能性水）を得るべく様々な実験を重ねた結果、新たな技術を開発し、本発明を完成するに至った。
【０００５】
即ち、本発明は、通常の水を機能性水に改質する水改質触媒、水改質装置及び水改質方法を提供することを目的とする。そして、本発明は、このような水改質触媒、水改質装置及び水改質方法によって得られる機能性水を提供することを目的とする。
【課題を解決するための手段】
【０００６】
発明者は、機能性水を得るべく、様々な実験を重ねた結果、実質的にマグネシウム（Ｍｇ）とシリコン（Ｓｉ）と酸化鉄とゲルマニウム（Ｇｅ）とを、ミネラルを含む流水に接触させると、接触後の水の酸化還元電位が通常の水より低下していることを見出した。
【０００７】
ここで、酸化鉄は、酸化鉄（ＩＩ）（ＦｅＯ）、酸化鉄（ＩＩＩ）（Ｆｅ２Ｏ３）及び酸化鉄（ＩＩＩ）鉄（ＩＩ）（Ｆｅ３Ｏ４（ＦｅＩＩＦｅＩＩＩ２Ｏ４）の何れか１つ又は任意の２以上の組み合わせである。ミネラルとは、一般に、体を構成する諸元素のうち炭素（Ｃ）、水素（Ｈ）、酸素（Ｏ）及び窒素（Ｎ）を除いた成分であって、動物にとって必要な無機成分をいい、本発明では、少なくともカルシウム（Ｃａ）及びシリコン（Ｓｉ）を含み、この他に上記定義に該当する元素（例えばナトリウム（Ｎａ）、カリウム（Ｋ）、リン（Ｐ）及び塩素（Ｃｌ）等）を１又は複数含んでもよい。また、通常の水より酸化還元電位が低下した水（機能性水）とは、塩化銀電極測定で、酸化還元電位が＋２００ｍＶより低い水をいい、還元水とは、上記のように、酸化還元電位が０ｍＶ以下の水をいう。
【０００８】
詳細な理由は、今後の研究を待つ必要があるが、本発明者は、次のような現象が生じているものと推察している。
【０００９】
図１は、水改質の様子を模式的に示す図である。図１において、水が流動することによって得られる流水１は、容器２の内壁との流体摩擦により静電気３を発生させる。この静電気３のエネルギーを実質的にマグネシウムとシリコンと酸化鉄とゲルマニウムとから成る触媒（水改質触媒）４が吸収し、水改質触媒４は、エネルギー的に励起する。そして、エネルギー的に励起した水改質触媒４は、エネルギー波動５を放出して流水中に含まれる少なくともカルシウム及びシリコンを含むミネラル６との間で共鳴し、エネルギー波動５の授受を行う。このときに、水分子７のクラスタは、細分化され、さらに、水分子７の一部が酸素と水素とに分解される。酸素は、水中より外部へ出て行くが、水素は、Ｈ＋の形で水中にしばらくとどまって酸化還元電位を低下させる。特に、水改質触媒のうちゲルマニウムは、約３０℃を超えると陰イオンを盛んに発生させるようになるため、約３０℃を超える水を用いる場合に、効果的に酸化還元電位を低下させる。
【００１０】
種々の実験結果によって、上述の目的を達成するために、本発明の一態様は、マグネシウムとシリコンと酸化鉄とゲルマニウムとから成り、ミネラルを含む帯電した水に接触することによって通常の水より酸化還元電位が低下した機能性水を生成する水改質触媒である。
【００１１】
そして、本発明の他の一態様は、ミネラルを含む流水を供給するための供給口と、前記給水口から供給された流水との流水摩擦により静電気を生成する静電気生成部と、前記静電気生成部を通過した流水に接触する、マグネシウムとシリコンと酸化鉄とゲルマニウムとから成る水改質触媒を内蔵する水改質触媒内蔵部と、前記水改質触媒内蔵部を通過した流水が排水される排水口とを備える容器から成り、通常の水より酸化還元電位が低下した機能性水を生成する水改質装置である。
【００１２】
また、上述の水改質装置において、ミネラルを含む流水を生成して前記給水口に供給する流水生成部、及び、ミネラルを含む流水を前記給水口に供給する流水供給部のうちの何れか一方をさらに備えることを特徴とする。
【００１３】
さらに、これら上述の水改質装置において、前記容器は、絶縁性材料で形成されることを特徴とする。
【００１４】
そして、本発明の他の一態様は、マグネシウムとシリコンと酸化鉄とゲルマニウムとから成る水改質触媒を、ミネラルを含む帯電した水に接触させ、通常の水より酸化還元電位が低下した機能性水を生成する水改質方法である。
【００１５】
また、本発明の他の一態様は、マグネシウムとシリコンと酸化鉄とゲルマニウムとから成る水改質触媒をミネラルを含む帯電した水に接触させて生成される通常の水より酸化還元電位が低下した機能性水である。
【００１６】
さらに、上述の機能性水は、界面活性水、洗浄水、風呂水、溶媒及び消火水の何れか１つであることを特徴とする。
【発明の効果】
【００１７】
このような水改質触媒、水改質装置及び水改質方法は、通常の水より酸化還元電位が低下した機能性水を生成することができる。そして、この機能性水は、酸化還元電位が低下しているので、通常の水に較べて様々な特性を示し、特に、界面活性水、洗浄水、風呂水、溶媒又は消火水に用いると有効である。
【発明を実施するための最良の形態】
【００１８】
以下、本発明に係る実施形態を図面に基づいて説明する。なお、各図において同一の符号を付した構成は、同一の構成であることを示し、その説明を省略する。
（実施の形態）
図２は、水改質装置の外観構成及び内部構成を示す図である。図２（Ａ）は、水改質装置の外観構成を示し、図２（Ｂ）は、水改質装置の内部構成を示す断面図である。
【００１９】
図２において、水改質装置１０は、略円筒形の容器１０１を備え、容器１０１の両面には、略円形の開口部１０２、１０３が形成されている。そして、容器１０１の内部には、開口部１０２から所定間隔を空けて、通水可能にマグネシウムが充填されたマグネシウム充填部１１２と、通水可能にシリコンが充填されたシリコン充填部１１３と、通水可能に酸化鉄が充填された酸化鉄充填部１１４と、通水可能にゲルマニウムが充填されたゲルマニウム充填部１１５とが形成されている。容器１０１は、例えばプラスチック等の樹脂製である。
【００２０】
マグネシウム充填部１１２、シリコン充填部１１３、酸化鉄充填部１１４及びゲルマニウム充填部１１５には、マグネシウム、シリコン、酸化鉄（本実施形態ではＦｅ２Ｏ３）及びゲルマニウムを質量比で５０乃至５１．７％、４９乃至４７．７％、０．５乃至０．３％及び０．５乃至０．３％の各割合でそれぞれ充填した。なお、この範囲は、本実施形態における比であり、この範囲を越えても酸化還元電位が低下する効果を確認している。この効果を有する範囲は、鋭意、探求中である。また、流速、水温、容器１０１の形状等の機能性水を生成する条件、及び、機能性水の用途等に応じてこの比は変わる。
【００２１】
このような水改質装置１０の開口部１０２から、ミネラルを含む流水を供給すると、開口部１０２からマグネシウム充填部１１２までの空間１１１で、流水は、容器１０１の内壁との流体摩擦により静電気を発生させ、帯電する。ここで、ミネラルには、少なくともカルシウム及びシリコンが含まれている。また、流水中のミネラルは、天然水、水道水、及び、市販のナチュラルミネラルウォータやミネラルウォータやナチュラルウォータに含有されている程度の量でよい。そして、帯電した流水は、マグネシウム充填部１１２、シリコン充填部１１３、酸化鉄充填部１１４及びゲルマニウム充填部１１５をこの順で順次に通過し、開口部１０３から機能性水となって排水される。
【００２２】
開口部１０２は、ミネラルを含む流水を供給するための供給口の一例であり、容器１０１の内部の空間１１１は、流水との流体摩擦により静電気を生成する静電気生成部の一例であり、マグネシウム充填部１１２、シリコン充填部１１３、酸化鉄充填部１１４及びゲルマニウム充填部１１５は、水改質触媒内蔵部の一例であり、開口部１０３は、流水が排水される排水口の一例である。
【００２３】
このような構成の水改質装置１０によって生成される機能性水は、活性水素が水中に留まっている間、陰イオン化されているため、改質前の水に較べて表面張力が小さく、界面活性を有した界面活性水となっている。そして、機能性水は、イオン分解を助長するため、洗浄水、風呂水、溶媒及び油火災を消火するための消火水として好適である。
【００２４】
次に、このような構成の水改質装置１０を用いて通常の水を機能性水に変えた実施例について説明する。
（実施例１）
実施例１では、水改質装置１０の給水口としての開口部１０２と排水口としての開口部１０３とを管で連通し、この管に水中ポンプを介挿することによって、水が循環するように構成した。水改質装置１０の容器１０１の内容量は、１０リットルであり、流速は、１ｍ／ｓである。このように構成した水改質装置１０に兵庫県芦屋市の水道水を用いて、機能性水を生成する実験を行った。その結果を表１及び図３に示す。水道水には、カルシウム及びシリコンの他、殺菌のための微量の塩素等が含まれている。
【００２５】
【表１】
2006334505.tif 000003
【００２６】
循環させながら水改質装置１０に作用させたところ、表１及び図３の特性曲線ａから分かるように、酸化還元電位が＋５５０ｍＶの水道水は、１０分経過後には酸化還元電位が−１５０ｍＶの還元水となり、２０分経過後には酸化還元電位が−２００ｍＶの還元水となり、３０分経過後には酸化還元電位が−３５０ｍＶの還元水となり、そして、４０分経過後には酸化還元電位が−３５２ｍＶの還元水となった。このように水改質装置１０に作用させた直後から１０分経過までは、比較的急激に酸化還元電位が低下し、３０分経過後以降では、それ以上の酸化還元電位の低下があまり見られず、酸化還元電位が略−３５０ｍＶで維持された。酸化還元電位は、塩化銀電極測定で行った。以下も同様である。
【００２７】
以上のように、実質的にマグネシウムとシリコンと酸化鉄とゲルマニウムとから成る水改質触媒を内蔵する水改質装置１０に微量のミネラルを含む水道水を通水したところ、その酸化還元電位が低下し、通常の水より酸化還元電位の低い機能性水が得られ、さらに、還元水が得られた。
（実施例２）
次に、容器１０１の材質を変えて同様の実験を行った。その結果を表２、表３及び図４に示す。表２及び図４に実線で示す特性曲線ｂは、容器１０１を絶縁性材料であるプラスチックで形成した場合であり、表３及び図４に一点鎖線で示す特性曲線ｃは、容器１０１を導電性材料であるステンレス鋼で形成した場合である。
【００２８】
【表２】
2006334505.tif 000004
【００２９】
【表３】
2006334505.tif 000005
【００３０】
表２及び図４の特性曲線ｂから分かるように、容器１０１を絶縁性材料で形成した場合では、酸化還元電位が＋５５０ｍＶの水道水は、１０分経過後には酸化還元電位が−１００ｍＶの還元水となり、２０分経過後には酸化還元電位が−１５０ｍＶの還元水となり、３０分経過後には酸化還元電位が−２００ｍＶの還元水となり、４０分経過後には酸化還元電位が−２０２ｍＶの還元水となった。一方、容器１０１を導電性材料で形成した場合では、表３及び図４の特性曲線ｃから分かるように、酸化還元電位が＋５５０ｍＶの水道水は、１時間経過後には酸化還元電位が＋２００ｍＶとなり、２時間経過後には酸化還元電位が＋１００ｍＶとなり、３時間経過後には酸化還元電位が＋９８ｍＶとなった。
【００３１】
このように容器１０１を導電性材料で形成した場合では、水道水を水改質装置１０に作用させたところ、通常の水より酸化還元電位の低下が見られるが、酸化還元電位が０ｍＶ以下に至らなかった。容器１０１を導電性材料で形成した場合では、容器１０１を絶縁性材料で形成した場合に較べて、酸化還元電位の低下が小さく、時間もかかっている。
【００３２】
従って、静電気を水改質のエネルギー源にしているものと推察され、水の流体摩擦による静電気が生じ易い絶縁性の容器１０１で水改質装置１０を構成した方が導電性の容器１０１で水改質装置１０を構成した場合に較べて、酸化還元電位の低下度合いや低下に要する時間の点で優れた性能を示す。
【００３３】
なお、絶縁性材料としては、例えば、プラスチック等の樹脂、及び、土器、陶器や磁器等のセラミックス等を挙げることができる。また、導電性材料としては、例えば、アルミニウム、鉄及び銅等の金属やステンレス鋼等の合金を挙げることができる。
【００３４】
次に、流水生成部や流水供給部を備えた水改質装置の実施形態について説明する。
（他の実施の形態）
図５は、流水生成部を備えた水改質装置の構成を示す図である。図５（Ａ）は、流水生成部として水中ポンプを用いた水改質装置の構成を示す図であり、図５（Ｂ）は、流水生成部としてミネラル水貯水槽を用いた水改質装置の構成を示す図である。
【００３５】
図５（Ａ）において、水改質装置Ａは、ミネラルを含む水を貯留する水槽であるミネラル水貯水槽１１と、図２を用いて説明した水改質装置１０と同様の構成である水改質部１２と、機能性水を貯留する水槽である機能性水貯水槽１３と、ミネラル水貯水槽１１と水改質部１２とを通水可能に連通する管１５と、水改質部１２と機能性水貯水槽１３とを通水可能に連通する管１６と、管１５に介挿された水中ポンプ１４とを備えて構成される。
【００３６】
このような構成の水改質装置Ａでは、ミネラル水貯水槽１１に貯留されたミネラルを含む水は、水中ポンプが作動することにより水中ポンプ１４で流水となって管１５を介して水改質部１２に送水される。ミネラルを含む流水は、水改質部１２で上述したように酸化還元電位が通常の水よりも低下して機能性水となって、管１６を介して機能性水貯水槽１３に送水され、機能性水貯水槽１３で貯留される。このように水中ポンプ１４は、ミネラルを含む流水を生成して水改質部１２の給水口に供給する流水生成部として機能している。
【００３７】
なお、水改質部１２における酸化還元電位の低下の度合いは、流水摩擦によって生じる静電気量や、マグネシウム充填部１１２のマグネシウムとシリコン充填部１１３のシリコンと酸化鉄充填部１１４の酸化鉄とゲルマニウム充填部１１５のゲルマニウムと水が接触する接触面積や、これらと水が作用する作用時間等に応じて変化する。このため、水改質部１２に１回通水しただけでは、所望の酸化還元電位が得られない場合もある。このような場合では、水改質部１２に複数回通水するために、図５（Ａ）に破線で示すように、機能性水貯水槽１３の水をミネラル水貯水槽１１へ還流する還流管１７をさらに設けてもよく、さらに、必要に応じて水中ポンプ１８を設けてもよい。
【００３８】
また、図５（Ｂ）において、水改質装置Ｂは、ミネラルを含む水を貯留する水槽であるミネラル水貯水槽２１と、図２を用いて説明した水改質装置１０と同様の構成である水改質部２２と、機能性水を貯留する水槽である機能性水貯水槽２３と、ミネラル水貯水槽２１と水改質部２２とを通水可能に接続する接続部２４と、水改質部２２と機能性水貯水槽２３とを通水可能に接続する接続部２５とを備えて構成され、重量が作用する方向（重力作用方向Ｇ）に沿って上から下へ、ミネラル水貯水槽２１、接続部２４、水改質部２２、接続部２５及び機能性水貯水槽２３の順に配置される。
【００３９】
接続部２４は、例えば、ミネラル水貯水槽２１の略円筒形状の排水口の側面外周に形成されたメネジと、水改質部２２の略円筒形状の給水口の側面内周に形成されたオネジとで構成することができる。同様に、接続部２５は、例えば、水改質部２２の略円筒形状の排水口の側面外周に形成されたメネジと、機能性水貯水槽２３の略円筒形状の給水口の側面内周に形成されたオネジとで構成することができる。また例えば、接続部２４は、ミネラル水貯水槽２１の略円筒形状の排水口に形成されたフランジと、水改質部２２の略円筒形状の給水口に形成されたフランジとを備え、両フランジをネジ留めすることで構成することができる。同様に、接続部２５は、例えば、水改質部２２の略円筒形状の排水口に形成されたフランジと、機能性水貯水槽２３の略円筒形状の給水口に形成されたフランジとを備え、両フランジをネジ留めすることで構成することができる。
【００４０】
このような構成の水改質装置Ｂでは、ミネラル水貯水槽２１に貯留されたミネラルを含む水は、自然流下によって流水となって接続部２４を介して水改質部２２に送水される。ミネラルを含む流水は、水改質部２２で上述したように酸化還元電位が通常の水よりも低下して機能性水となって、接続部２５を介して機能性水貯水槽２３に送水され、機能性水貯水槽２３で貯留される。このように水改質部２２に対して重力作用方向Ｇ上で上の位置に配置されたミネラル水貯水槽２１は、ミネラルを含む流水を生成して水改質部２２の給水口に供給する流水生成部として機能している。
【００４１】
図６は、流水供給部を備えた水改質装置の構成を示す図である。図６（Ａ）は、水道栓から吐出する流水を利用する場合の水改質装置の構成を示す図であり、図６（Ｂ）は、水道管中の流水を利用する場合の水改質装置の構成を示す図である。
【００４２】
図６（Ａ）において、水改質装置Ｃは、図２を用いて説明した水改質装置１０と同様の構成である水改質部３２であって、その給水口に水道栓３１と接続するための水道栓接続部３２１をさらに備える。水道栓接続部３２１は、例えば浄水器を水道栓に接続する公知の接続構造を採用することができ、このような接続構造は、例えば、特開平９−１４５３１号公報や特開２００１−２４１０７４号公報等に多数公開されている。このような構成の水改質装置Ｃでは、水道栓３１が開栓されると、流水の水道水が水道栓接続部３２１を介して水改質部３２に供給され、機能性水となって水改質部３２の排水口から吐出される。このように水道栓接続部３２１は、ミネラルを含む流水を給水口に供給する流水供給部として機能している。
【００４３】
また、図６（Ｂ）において、水改質装置Ｄは、図２を用いて説明した水改質装置１０と同様の構成である水改質部４２であって、その給水口及び排水口に水道管４１と接続するための水道管接続部４２１、４２２をさらに備える。水道管接続部４２１、４２２は、例えば、上記接続部２４、２５の構成を採用し得る。このような構成の水改質装置Ｄでは、水道管４１に介挿され、水道管４１中を流れる流水の水道水が水道管接続部４２１を介して水改質部３２に供給され、機能性水となって水道管接続部４２２を介して水道管４１に送水される。このように水道管接続部４２１は、ミネラルを含む流水を給水口に供給する流水供給部として機能している。なお、水道管４１は、導水管、送水管、配水管及び給水管の何れでもよい。
【００４４】
なお、上述の実施形態では、容器１０１は、円筒形であるが、直方体でも円錐台でもよく、要は、実質的にマグネシウムとシリコンと酸化鉄とゲルマニウムとから成る水改質触媒を内蔵し、一方から他方へ流水が通水し得る形状であればよい。
【００４５】
そして、上述では、マグネシウム充填部１１２、シリコン充填部１１３、酸化鉄充填部１１４及びゲルマニウム充填部１１５を設けることによって、実質的にマグネシウムとシリコンと酸化鉄とゲルマニウムとから成る水改質触媒を容器１０１に内蔵したが、容器１０１の内壁をマグネシウムで覆ったマグネシウム被覆部、容器１０１の内壁をシリコンで覆ったマグネシウム被覆部、容器１０１の内壁を酸化鉄で覆った酸化鉄被覆部、及び、容器１０１の内壁をゲルマニウムで覆ったゲルマニウム被覆部を設けることによって、実質的にマグネシウムとシリコンと酸化鉄とゲルマニウムとから成る水改質触媒を容器１０１に内蔵してもよい。被覆は、容器１０１の内壁を全て覆ってもよく、一部を覆ってもよい。
【００４６】
また、静電気生成部として機能する空間１１１を省略し、水改質触媒内蔵部として機能するマグネシウム充填部１１２やシリコン充填部１１３や酸化鉄充填部１１４やゲルマニウム充填部１１５を静電気生成部として兼用してもよい。
【００４７】
さらに、上述の水改質装置１０や水改質部１２、２２、３２、４２において、図７に示すように、空間１１１に開口部１０２から、流水中に混入しているゴミ等の異物を除去するためのフィルタ１１１１と、ミネラルを吸着して流水中のミネラルを微量にする例えば活性炭等の吸着剤から構成される吸着部１１１２と、流水中の雑菌を殺して流水を殺菌するためのチタン（Ｔｉ）を充填したチタン充填部１１１３とをさらに備えてもよい。このように構成することで、流水中の異物を取り除き、触媒の不活性化を促す過剰のミネラルを除去し、殺菌した機能性水を得ることができる。
【００４８】
そして、図７に破線で示すように、流水及び／又はチタンに紫外線を放射する紫外線光源１１６を容器１０１にさらに配設してもよい。例えば、チタン充填部１１１３の周壁の一部に紫外線光源１１６を放射方向を容器１０１内に向けてさらに配設してもよい。このように構成することで紫外線によって直接的に及び／又は光触媒のチタンを介して間接的にさらに効果的に流水を殺菌することができる。
【図面の簡単な説明】
【００４９】
【図１】水改質の様子を模式的に示す図である。
【図２】水改質装置の外観構成及び内部構成を示す図である。
【図３】水改質の実験結果を示す図である。
【図４】容器を材質を変えた場合における水改質の実験結果を示す図である。
【図５】流水生成部を備えた水改質装置の構成を示す図である。
【図６】流水供給部を備えた水改質装置の構成を示す図である。
【図７】水改質装置の他の内部構造を示す図である。
【符号の説明】
【００５０】
１  流水                              ２  容器
３  静電気                            ４  水改質触媒
５  エネルギー波動                    ６  ミネラル
７  水分子                            １０、Ａ、Ｂ、Ｃ、Ｄ、水改質装置
１１、２１  ミネラル水貯水槽          １２、２２  水改質部
１３、２３、３２、４２  機能性水貯水槽
１４  水中ポンプ                      １５、１６  管
２４、２５  接続部                    ３２１  水道栓接続部
４２１、４２２  水道管接続部          １０１  容器
１０２、１０３  開口部                １１１  空間
１１２  マグネシウム充填部            １１３  シリコン充填部
１１４  酸化鉄充填部                  １１５  ゲルマニウム充填部
１１６  紫外線光源                    １１１１  フィルタ
１１１２  吸着部                      １１１３  チタン充填部
【図１】
2006334505.tif 000006
【図２】
2006334505.tif 000007
【図３】
2006334505.tif 000008
【図４】
2006334505.tif 000009
【図５】
2006334505.tif 000010
【図６】
2006334505.tif 000011
【図７】
2006334505.tif 000012